(57)【特許請求の範囲】
【請求項１】
複数の入力チャンネルの音声信号に対して、各々複数段階に渡る信号処理を施す入力チャンネル調整部と、
前記入力チャンネル調整部から出力された信号をミキシングするミキシングバスと、
前記複数の入力チャンネルを複数のグループに分類するとともに、ユーザの操作に基づいて分類状態を書き換え可能な入力チャンネル管理テーブルを記憶する入力チャンネル管理テーブル記憶手段であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段と、
前記入力チャンネル調整部における前記複数段階に渡る信号処理の途中段階に挿入され、モノラル、ステレオまたはサラウンドのうち何れかのカテゴリを有するインサーション・エフェクタと、
前記各入力チャンネルおよびインサーション・エフェクタをＣＵＥ信号ソースとして、これらＣＵＥ信号ソースに対応して設けられ、前記各入力チャンネルおよびインサーション・エフェクタのＣＵＥオンおよびＣＵＥオフ状態を切り替える複数のＣＵＥオン／オフ切替手段と、
前記各ＣＵＥ信号ソースのうち、ＣＵＥオン状態に設定されたＣＵＥ信号ソースから出力される一または複数チャンネルの音声信号であるＣＵＥ信号をミキシングするＣＵＥバスと、
該ＣＵＥバスにおいてミキシングされた音声信号を出力するＣＵＥ信号出力手段と、
前記ＣＵＥバスのカテゴリを、少なくともステレオおよびサラウンドを含む複数の選択肢の中から、ユーザの操作に基づいて選択するＣＵＥバスカテゴリ選択手段と、
前記各ＣＵＥ信号ソースのカテゴリと、前記ＣＵＥバスのカテゴリとに対応して、前記各ＣＵＥ信号ソースから前記ＣＵＥバスに出力される前記ＣＵＥ信号のセンドレベルを記憶するＣＵＥバスセンドレベル記憶手段と、
前記ＣＵＥオン／オフ切替手段が操作されることにより、前記各ＣＵＥ信号ソースのうち何れかがＣＵＥオン状態に設定されると、当該ＣＵＥ信号ソースから前記ＣＵＥバスに対するセンドレベルを前記ＣＵＥバスセンドレベル記憶手段に記憶されたセンドレベルに設定するＣＵＥバスセンドレベル設定手段と
を有することを特徴とするデジタルミキサ。
【請求項２】
前記ステレオのカテゴリが設定されたＣＵＥ信号ソースは、左および右の信号種別のチャンネルから成るものであり、前記ステレオのカテゴリが設定されたＣＵＥバスは、左および右の信号種別のチャンネルから成るものであり、
前記ＣＵＥバスセンドレベル設定手段は、前記ＣＵＥ信号ソースおよび前記ＣＵＥバスのカテゴリが共にステレオである組み合わせに対して、前記ＣＵＥ信号ソースの左チャンネルから前記ＣＵＥバスの左チャンネルへのセンドレベルと、前記ＣＵＥ信号ソースの右チャンネルから前記ＣＵＥバスの右チャンネルへのセンドレベルとをリニアスケールで「０」よりも大きい所定値に設定するとともに、前記ＣＵＥ信号ソースの左チャンネルから前記ＣＵＥバスの右チャンネルへのセンドレベルと、前記ＣＵＥ信号ソースの右チャンネルから前記ＣＵＥバスの左チャンネルへのセンドレベルとをリニアスケールで「０」に設定するものである
ことを特徴とする請求項１記載のデジタルミキサ。
【請求項３】
前記サラウンドのカテゴリが設定されたＣＵＥ信号ソースは、左、右および中央の信号種別のチャンネルを少なくとも有するものであり、前記サラウンドのカテゴリが設定されたＣＵＥバスは、左、右および中央の信号種別のチャンネルを少なくとも有するものであり、
前記ＣＵＥバスセンドレベル設定手段は、前記ＣＵＥ信号ソースおよび前記ＣＵＥバスのカテゴリが共にサラウンドである組み合わせに対して、前記ＣＵＥ信号ソースの左チャンネルから前記ＣＵＥバスの左チャンネルへのセンドレベルと、前記ＣＵＥ信号ソースの右チャンネルから前記ＣＵＥバスの右チャンネルへのセンドレベルと、前記ＣＵＥ信号ソースの中央チャンネルから前記ＣＵＥバスの中央チャンネルへのセンドレベルとをリニアスケールで「０」よりも大きい値に設定するとともに、前記ＣＵＥ信号ソースの左チャンネルから前記ＣＵＥバスの右および中央チャンネルへのセンドレベルと、前記ＣＵＥ信号ソースの右チャンネルから前記ＣＵＥバスの左および中央チャンネルへのへのセンドレベルと、前記ＣＵＥ信号ソースの中央チャンネルから前記ＣＵＥバスの左および右チャンネルへのへのセンドレベルとをリニアスケールで「０」に設定するものである
ことを特徴とする請求項２記載のデジタルミキサ。
【請求項４】
前記ＣＵＥバスセンドレベル設定手段は、前記ＣＵＥ信号ソースのカテゴリがステレオであり、前記ＣＵＥバスのカテゴリがサラウンドである組み合わせに対して、前記ＣＵＥ信号ソースの左チャンネルから前記ＣＵＥバスの左および中央チャンネルへのセンドレベルと、前記ＣＵＥ信号ソースの右チャンネルから前記ＣＵＥバスの右および中央チャンネルへのセンドレベルとをリニアスケールで「０」よりも大きい値に設定するとともに、前記ＣＵＥ信号ソースの左チャンネルから前記ＣＵＥバスの右チャンネルへのセンドレベルと前記ＣＵＥ信号ソースの右チャンネルから前記ＣＵＥバスの左チャンネルへのセンドレベルとをリニアスケールで「０」に設定するものである
ことを特徴とする請求項３記載のデジタルミキサ。
【請求項５】
前記ＣＵＥバスセンドレベル設定手段は、前記ＣＵＥ信号ソースのカテゴリがサラウンドであり、前記ＣＵＥバスのカテゴリがステレオである組み合わせに対して、前記ＣＵＥ信号ソースの左チャンネルから前記ＣＵＥバスの左チャンネルへのセンドレベルと、前記ＣＵＥ信号ソースの右チャンネルから前記ＣＵＥバスの右チャンネルへのセンドレベルと前記ＣＵＥ信号ソースの中央チャンネルから前記ＣＵＥバスの左および右チャンネルへのセンドレベルとをリニアスケールで「０」よりも大きい値に設定するとともに、前記ＣＵＥ信号ソースの左チャンネルから前記ＣＵＥバスの右チャンネルへのセンドレベルと前記ＣＵＥ信号ソースの右チャンネルから前記ＣＵＥバスの左チャンネルへのセンドレベルとをリニアスケールで「０」に設定するものである
ことを特徴とする請求項４記載のデジタルミキサ。
【請求項６】
複数の入力チャンネルの音声信号に対して、各々複数段階に渡る信号処理を施す入力チャンネル調整部と、
前記入力チャンネル調整部から出力された信号をミキシングするミキシングバスと、
前記複数の入力チャンネルを複数のグループに分類するとともに、ユーザの操作に基づいて分類状態を書き換え可能な入力チャンネル管理テーブルを記憶する入力チャンネル管理テーブル記憶手段であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段と、
前記入力チャンネル調整部における前記複数段階に渡る信号処理の途中段階に挿入され、モノラル、ステレオまたはサラウンドのうち何れかのカテゴリを有するインサーション・エフェクタと、
前記各入力チャンネルおよびインサーション・エフェクタをＣＵＥ信号ソースとして、これらＣＵＥ信号ソースに対応して設けられ、前記各入力チャンネルおよびインサーション・エフェクタのＣＵＥオンおよびＣＵＥオフ状態を切り替える複数のＣＵＥオン／オフ切替手段と、
前記各ＣＵＥ信号ソースのうち、ＣＵＥオン状態に設定されたＣＵＥ信号ソースから出力される一または複数チャンネルの音声信号であるＣＵＥ信号をミキシングするＣＵＥバスと、
該ＣＵＥバスにおいてミキシングされた音声信号を出力するＣＵＥ信号出力手段と、
前記ＣＵＥバスのカテゴリを、少なくともステレオおよびサラウンドを含む複数の選択肢の中から、ユーザの操作に基づいて選択するＣＵＥバスカテゴリ選択手段と、
前記各ＣＵＥ信号ソースのカテゴリと、前記ＣＵＥバスのカテゴリとに対応して、前記各ＣＵＥ信号ソースから前記ＣＵＥバスに出力される前記ＣＵＥ信号のセンドレベルを記憶するＣＵＥバスセンドレベル記憶手段と、
処理装置と
を有するデジタルミキサに適用されるプログラムであって、前記処理装置を
前記ＣＵＥオン／オフ切替手段が操作されることにより、前記各ＣＵＥ信号ソースのうち何れかがＣＵＥオン状態に設定されると、当該ＣＵＥ信号ソースから前記ＣＵＥバスに対するセンドレベルを前記ＣＵＥバスセンドレベル記憶手段に記憶されたセンドレベルに設定するＣＵＥバスセンドレベル設定手段
として機能させるためのプログラム。
【発明の詳細な説明】
【技術分野】
【０００１】
本発明は、コンサート等における音声信号の調整に用いて好適なデジタルミキサおよびプログラムに関する。
【背景技術】
【０００２】
非特許文献１等に開示されているミキサにおいては、マイク等から入力された複数系統の音声信号は、複数段階に渡って音質、音量等の調整が施された後に出力される。その各段階における音声信号を監視するため、ミキサにはこれらの段階に対応して多数の「ＣＵＥボタン」と称するボタンが設けられている。そして、ユーザが何れかのＣＵＥボタンを押下してオン状態に設定すると、そのＣＵＥボタンに対応する音声信号が「ＣＵＥバス」に供給される。ＣＵＥバスに対しては複数系統の音声信号を供給することが可能であり、これらの音声信号はＣＵＥバスにおいてミキシングされる。そして、ＣＵＥバスにおいてミキシングされた音声信号（ＣＵＥ出力信号）は、ヘッドフォンあるいはモニタスピーカとアンプとから成るサウンドシステムを介して、ミキサのユーザに対して放音される。
【先行技術文献】
【非特許文献】
【０００３】
【非特許文献１】「PM5D/PM5D-RH V2 DSP5D 取扱説明書」  ヤマハ株式会社，２００４年
【発明の概要】
【発明が解決しようとする課題】
【０００４】
ところで、デジタルミキサにおいて入出力される音声信号は、「モノラル」、「ステレオ」、「ＬＣＲ」、あるいは「５．１サラウンドシステム」等、複数の形式に分類される。これらの形式を本明細書においては「カテゴリ」と呼ぶ。従来のミキサにおいては、ＣＵＥバスのカテゴリは例えば「ステレオ」に固定されていることが一般的であったが、監視しようとする音声信号のうち主要なもののカテゴリに合せてＣＵＥバスのカテゴリを適宜変更したいという要望があった。また、入力チャンネルおよびその他のＣＵＥ信号のソースのカテゴリと、ＣＵＥバスのカテゴリとに応じて、ＣＵＥ信号のソースからＣＵＥバスへのセンドレベルを自動的に決定できれば便利である。
この発明は上述した事情に鑑みてなされたものであり、ＣＵＥバスのカテゴリをユーザが任意に設定できるとともに、入力チャンネル等、ＣＵＥ信号のソースのカテゴリと、ＣＵＥバスのカテゴリとに応じて、ＣＵＥ信号のソースからＣＵＥバスへのセンドレベルを自動的に決定できるようにし、これによって高い操作性を実現できるデジタルミキサおよびプログラムを提供することを目的としている。
【課題を解決するための手段】
【０００５】
上記課題を解決するため本発明にあっては、下記構成を具備することを特徴とする。なお、括弧内は例示である。
請求項１記載のデジタルミキサにあっては、複数の入力チャンネルの音声信号に対して、各々複数段階に渡る信号処理を施す入力チャンネル調整部（１１２−１〜１１２−１２８）と、前記入力チャンネル調整部（１１２−１〜１１２−１２８）から出力された信号をミキシングするミキシングバス（１１６）と、前記複数の入力チャンネルを複数のグループに分類するとともに、ユーザの操作に基づいて分類状態を書き換え可能な入力チャンネル管理テーブル（３００）を記憶する入力チャンネル管理テーブル記憶手段（３００，２６）であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段（３００，２６）と、前記入力チャンネル調整部（１１２−１〜１１２−１２８）における前記複数段階に渡る信号処理の途中段階に挿入され、モノラル、ステレオまたはサラウンドのうち何れかのカテゴリを有するインサーション・エフェクタと、前記各入力チャンネルおよびインサーション・エフェクタをＣＵＥ信号ソースとして、これらＣＵＥ信号ソースに対応して設けられ、前記各入力チャンネルおよびインサーション・エフェクタのＣＵＥオンおよびＣＵＥオフ状態を切り替える複数のＣＵＥオン／オフ切替手段（６，２１０）と、前記各ＣＵＥ信号ソースのうち、ＣＵＥオン状態に設定されたＣＵＥ信号ソースから出力される一または複数チャンネルの音声信号であるＣＵＥ信号をミキシングするＣＵＥバス（１３１，１３２）と、該ＣＵＥバス（１３１，１３２）においてミキシングされた音声信号を出力するＣＵＥ信号出力手段（１３４）と、前記ＣＵＥバス（１３１，１３２）のカテゴリを、少なくともステレオおよびサラウンドを含む複数の選択肢の中から、ユーザの操作に基づいて選択するＣＵＥバスカテゴリ選択手段（２５０）と、前記各ＣＵＥ信号ソースのカテゴリと、前記ＣＵＥバス（１３１，１３２）のカテゴリとに対応して、前記各ＣＵＥ信号ソースから前記ＣＵＥバス（１３１，１３２）に出力される前記ＣＵＥ信号のセンドレベルを記憶するＣＵＥバスセンドレベル記憶手段（４００）と、前記ＣＵＥオン／オフ切替手段（６，２１０）が操作されることにより、前記各ＣＵＥ信号ソースのうち何れかがＣＵＥオン状態に設定されると、当該ＣＵＥ信号ソースから前記ＣＵＥバス（１３１，１３２）に対するセンドレベルを前記ＣＵＥバスセンドレベル記憶手段（４００）に記憶されたセンドレベルに設定するＣＵＥバスセンドレベル設定手段（ＳＰ３２）とを有することを特徴とする。
さらに、請求項２記載の構成にあっては、請求項１記載のデジタルミキサにおいて、前記ステレオのカテゴリが設定されたＣＵＥ信号ソースは、左および右の信号種別のチャンネルから成るものであり、前記ステレオのカテゴリが設定されたＣＵＥバス（１３１，１３２）は、左および右の信号種別のチャンネルから成るものであり、前記ＣＵＥバスセンドレベル設定手段（ＳＰ３２）は、前記ＣＵＥ信号ソースおよび前記ＣＵＥバス（１３１，１３２）のカテゴリが共にステレオである組み合わせに対して、前記ＣＵＥ信号ソースの左チャンネルから前記ＣＵＥバス（１３１，１３２）の左チャンネルへのセンドレベルと、前記ＣＵＥ信号ソースの右チャンネルから前記ＣＵＥバス（１３１，１３２）の右チャンネルへのセンドレベルとをリニアスケールで「０」よりも大きい所定値（「１」）に設定するとともに、前記ＣＵＥ信号ソースの左チャンネルから前記ＣＵＥバス（１３１，１３２）の右チャンネルへのセンドレベルと、前記ＣＵＥ信号ソースの右チャンネルから前記ＣＵＥバス（１３１，１３２）の左チャンネルへのセンドレベルとをリニアスケールで「０」に設定するものであることを特徴とする。
さらに、請求項３記載の構成にあっては、請求項２記載のデジタルミキサにおいて、前記サラウンドのカテゴリが設定されたＣＵＥ信号ソースは、左、右および中央の信号種別のチャンネルを少なくとも有するものであり、前記サラウンドのカテゴリが設定されたＣＵＥバス（１３１，１３２）は、左、右および中央の信号種別のチャンネルを少なくとも有するものであり、前記ＣＵＥバスセンドレベル設定手段（ＳＰ３２）は、前記ＣＵＥ信号ソースおよび前記ＣＵＥバス（１３１，１３２）のカテゴリが共にサラウンドである組み合わせに対して、前記ＣＵＥ信号ソースの左チャンネルから前記ＣＵＥバス（１３１，１３２）の左チャンネルへのセンドレベルと、前記ＣＵＥ信号ソースの右チャンネルから前記ＣＵＥバス（１３１，１３２）の右チャンネルへのセンドレベルと、前記ＣＵＥ信号ソースの中央チャンネルから前記ＣＵＥバス（１３１，１３２）の中央チャンネルへのセンドレベルとをリニアスケールで「０」よりも大きい値（「１」）に設定するとともに、前記ＣＵＥ信号ソースの左チャンネルから前記ＣＵＥバス（１３１，１３２）の右および中央チャンネルへのセンドレベルと、前記ＣＵＥ信号ソースの右チャンネルから前記ＣＵＥバス（１３１，１３２）の左および中央チャンネルへのへのセンドレベルと、前記ＣＵＥ信号ソースの中央チャンネルから前記ＣＵＥバス（１３１，１３２）の左および右チャンネルへのへのセンドレベルとをリニアスケールで「０」に設定するものであることを特徴とする。
さらに、請求項４記載の構成にあっては、請求項３記載のデジタルミキサにおいて、前記ＣＵＥバスセンドレベル設定手段（ＳＰ３２）は、前記ＣＵＥ信号ソースのカテゴリがステレオであり、前記ＣＵＥバス（１３１，１３２）のカテゴリがサラウンドである組み合わせに対して、前記ＣＵＥ信号ソースの左チャンネルから前記ＣＵＥバス（１３１，１３２）の左および中央チャンネルへのセンドレベルと、前記ＣＵＥ信号ソースの右チャンネルから前記ＣＵＥバス（１３１，１３２）の右および中央チャンネルへのセンドレベルとをリニアスケールで「０」よりも大きい値（「１」，「Ｘ21」，「Ｘ22」）に設定するとともに、前記ＣＵＥ信号ソースの左チャンネルから前記ＣＵＥバス（１３１，１３２）の右チャンネルへのセンドレベルと前記ＣＵＥ信号ソースの右チャンネルから前記ＣＵＥバス（１３１，１３２）の左チャンネルへのセンドレベルとをリニアスケールで「０」に設定するものであることを特徴とする。
さらに、請求項５記載の構成にあっては、請求項４記載のデジタルミキサにおいて、前記ＣＵＥバスセンドレベル設定手段（ＳＰ３２）は、前記ＣＵＥ信号ソースのカテゴリがサラウンドであり、前記ＣＵＥバス（１３１，１３２）のカテゴリがステレオである組み合わせに対して、前記ＣＵＥ信号ソースの左チャンネルから前記ＣＵＥバス（１３１，１３２）の左チャンネルへのセンドレベルと、前記ＣＵＥ信号ソースの右チャンネルから前記ＣＵＥバス（１３１，１３２）の右チャンネルへのセンドレベルと前記ＣＵＥ信号ソースの中央チャンネルから前記ＣＵＥバス（１３１，１３２）の左および右チャンネルへのセンドレベルとをリニアスケールで「０」よりも大きい値（「Ｘ01」，「Ｘ02」，「Ｘ03」）に設定するとともに、前記ＣＵＥ信号ソースの左チャンネルから前記ＣＵＥバス（１３１，１３２）の右チャンネルへのセンドレベルと前記ＣＵＥ信号ソースの右チャンネルから前記ＣＵＥバス（１３１，１３２）の左チャンネルへのセンドレベルとをリニアスケールで「０」に設定するものであることを特徴とする。
また、請求項６記載のプログラムにあっては、複数の入力チャンネルの音声信号に対して、各々複数段階に渡る信号処理を施す入力チャンネル調整部（１１２−１〜１１２−１２８）と、前記入力チャンネル調整部（１１２−１〜１１２−１２８）から出力された信号をミキシングするミキシングバス（１１６）と、前記複数の入力チャンネルを複数のグループに分類するとともに、ユーザの操作に基づいて分類状態を書き換え可能な入力チャンネル管理テーブル（３００）を記憶する入力チャンネル管理テーブル記憶手段（３００，２６）であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段（３００，２６）と、前記入力チャンネル調整部（１１２−１〜１１２−１２８）における前記複数段階に渡る信号処理の途中段階に挿入され、モノラル、ステレオまたはサラウンドのうち何れかのカテゴリを有するインサーション・エフェクタと、前記各入力チャンネルおよびインサーション・エフェクタをＣＵＥ信号ソースとして、これらＣＵＥ信号ソースに対応して設けられ、前記各入力チャンネルおよびインサーション・エフェクタのＣＵＥオンおよびＣＵＥオフ状態を切り替える複数のＣＵＥオン／オフ切替手段（６，２１０）と、前記各ＣＵＥ信号ソースのうち、ＣＵＥオン状態に設定されたＣＵＥ信号ソースから出力される一または複数チャンネルの音声信号であるＣＵＥ信号をミキシングするＣＵＥバス（１３１，１３２）と、該ＣＵＥバス（１３１，１３２）においてミキシングされた音声信号を出力するＣＵＥ信号出力手段（１３４）と、前記ＣＵＥバス（１３１，１３２）のカテゴリを、少なくともステレオおよびサラウンドを含む複数の選択肢の中から、ユーザの操作に基づいて選択するＣＵＥバスカテゴリ選択手段（２５０）と、前記各ＣＵＥ信号ソースのカテゴリと、前記ＣＵＥバス（１３１，１３２）のカテゴリとに対応して、前記各ＣＵＥ信号ソースから前記ＣＵＥバス（１３１，１３２）に出力される前記ＣＵＥ信号のセンドレベルを記憶するＣＵＥバスセンドレベル記憶手段（４００）と、処理装置（ＣＰＵ２４，ＤＳＰ３６）とを有するデジタルミキサに適用されるプログラムであって、前記処理装置を前記ＣＵＥオン／オフ切替手段（６，２１０）が操作されることにより、前記各ＣＵＥ信号ソースのうち何れかがＣＵＥオン状態に設定されると、当該ＣＵＥ信号ソースから前記ＣＵＥバス（１３１，１３２）に対するセンドレベルを前記ＣＵＥバスセンドレベル記憶手段（４００）に記憶されたセンドレベルに設定するＣＵＥバスセンドレベル設定手段（ＳＰ３２）として機能させるためのものであることを特徴とする。
【発明の効果】
【０００６】
本発明によれば、ＣＵＥバスカテゴリ選択手段を有することにより、ユーザの操作に基づいてＣＵＥバスのカテゴリを選択することができる。また、本発明によれば、ＣＵＥバスセンドレベル記憶手段とＣＵＥバスセンドレベル設定手段とを有することにより、ＣＵＥ信号のソースからＣＵＥバスへのセンドレベルを自動的に決定することができ、高い操作性を実現することができる。
【図面の簡単な説明】
【０００７】
【図１】本発明の一実施例のデジタルミキサのブロック図である。
【図２】デジタルミキサのアルゴリズムのブロック図である。
【図３】該アルゴリズムの要部のブロック図である。
【図４】該アルゴリズムの他の要部のブロック図である。
【図５】デジタルミキサの平面図である。
【図６】イコライザ設定画面の例を示す図である。
【図７】入力チャンネル管理テーブル３００の内容を示す図である。
【図８】ＣＵＥバスセンドレベルテーブル４００の内容を示す図である。
【図９】ＣＵＥグループの説明図である。
【図１０】入力チャンネル設定ウィンドウ３５０の構成を示す図である。
【図１１】ＣＵＥバス設定ウィンドウ２５０の構成を示す図である。
【図１２】ＣＵＥオン／オフ設定イベントルーチンのフローチャートである。
【図１３】本実施例の動作説明図である。
【発明を実施するための形態】
【０００８】
1．実施例のハードウエア構成
次に、本発明の一実施例のデジタルミキサのハードウエア構成を図１を参照し説明する。図１において２０はパネル表示器群であり、操作パネル上に設けられたドットマトリクス・ディスプレイ、ＬＥＤ等から構成されている。２２はパネル操作子群であり、操作パネル上に設けられたボタン、ノブ等から構成されている。２４はＣＰＵであり、メモリ２６（ＲＯＭおよびＲＡＭ）に格納されたプログラムに基づいて、ＣＰＵバス３０を介して他の構成要素を制御する。なお、メモリ２６のＲＡＭには、電源がオフされた場合にも記憶内容を保持する不揮発性領域が設けられている。３２は電動フェーダ群であり、ユーザの操作に基づいて各入出力チャンネル等の信号レベルを調節するために設けられている。さらに、電動フェーダ群３２は、ＣＰＵバス３０を介して操作コマンドが供給されると、その操作量が自動設定されるように構成されている。
【０００９】
３４は音声Ｉ／Ｏ部であり、アナログ音声信号が入力されると、これをデジタル音声信号に変換し、オーディオバス４０を介して出力するとともに、オーディオバス４０を介して供給されたデジタル音声信号をアナログ音声信号に変換し、外部に出力する。３６はＤＳＰ（デジタル・シグナル・プロセッサ）であり、オーディオバス４０を介して供給された音声信号に対してミキシング処理およびイコライジング処理等を施す。３８はネットワークＩ／Ｏ部であり、オーディオバス４０を介して供給された制御信号およびＣＰＵバス３０を介して供給された音声信号をＩＰパケットに変換し、必要に応じて外部のＩＰ網に出力するとともに、ＩＰ網から受信したＩＰパケットを制御信号または音声信号に変換し、ＣＰＵバス３０またはオーディオバス４０を介して出力する。２８はその他Ｉ／Ｏ部であり、その他の機器、例えば汎用パーソナルコンピュータとの間でデータを入出力する。
【００１０】
2．ミキシングアルゴリズム構成
2．1．アルゴリズムの全体構成
次に、ＤＳＰ３６等において実現されるアルゴリズムの内容を図２を参照し説明する。なお、当該アルゴリズムはＤＳＰ３６に設定されるプログラムによって実現されるものであり、該プログラムは、ＣＰＵ２４の制御の下、メモリ２６からＤＳＰ３６にロードされる。また、当該アルゴリズムにおける各種パラメータ（例えば、スイッチのオン／オフ状態や増幅部のゲイン等）ＣＰＵ２４によって設定される。
【００１１】
図２において１０２はアナログ入力部であり、マイクレベルまたはラインレベルのアナログ音声信号を受信すると、これをデジタル音声信号に変換し、ＤＳＰ３６に供給する。１０４はデジタル入力部であり、デジタル音声信号を受信すると、これを所定の内部フォーマットに変換し、ＤＳＰ３６に供給する。また、１２８はアナログ出力部であり、ＤＳＰ３６から供給されたデジタル音声信号をアナログ音声信号に変換し外部に出力する。１３０はデジタル出力部であり、ＤＳＰ３６から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。１３６はＣＵＥ用アナログ出力部であり、ＤＳＰ３６から供給されたデジタル音声信号である第１および第２のＣＵＥ出力信号を各々アナログ音声信号に変換し外部に出力する。
【００１２】
上記各構成要素１０２，１０４，１２８，１３０，１３６は、図１における音声Ｉ／Ｏ部３４によって実現されるものであり、それ以外の構成は、ＤＳＰ３６において動作するマイクロプログラムによって実現されている。１１２は入力チャンネル調整部であり、パネル操作子群２２および電動フェーダ群３２の操作に基づいて、「１２８」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１３】
１１４はエフェクトリターン部であり、「４」チャンネルの音声信号に対して音量・音質等の調整を行う。なお、エフェクトリターン部１１４は、主としてエフェクト処理の施された音声信号に割り当てられる。１０８は入力パッチ部であり、入力部１０２，１０４等の複数の入力ポートから供給されたデジタル音声信号を、ステレオ入力チャンネル調整部１１０、入力チャンネル調整部１１２、エフェクトリターン部１１４の任意の入力チャンネルに割り当てる。１０６は内蔵エフェクタ部であり、最大「８」ユニットのエフェクタから成り、供給された音声信号に対して、リバーブ、ディレイ、モジュレーション等のエフェクト処理を施し、その結果を入力パッチ部１０８を介してエフェクトリターン部１１４等に供給する。
【００１４】
１１６はＭＩＸバス群であり、「９６」系統のＭＩＸバスから構成されている。なお、これらＭＩＸバスを個別に指すときは、「第ｎＭＩＸバス１１６−ｎ」（１≦ｎ≦９６）のように表記する。各ＭＩＸバスにおいては、各入力チャンネル、各ステレオ入力チャンネルおよび各エフェクトリターン（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。１１８はステレオバスであり、「１」系統のステレオバスから構成されている。ステレオバスの構成は上記ＭＩＸバスと同様である。
【００１５】
１２０はステレオ出力チャンネル部であり、該ステレオバスにおけるミキシング結果のレベル調節および音質調節を行なう。１２２はＭＩＸ出力チャンネル部であり、上記各ＭＩＸバスにおける「９６」系統のミキシング結果のレベル調節および音質調節を行なう。１２３はマトリクスバス群であり、ステレオ出力チャンネル部１２０およびＭＩＸ出力チャンネル部１２２の出力信号をさらにミキシングする「４８」チャンネルのマトリクスバスから構成されている。１２４はマトリクス出力チャンネル部であり、マトリクスバス群１２３におけるミキシング結果のレベル調節および音質調節を行なう。１２６は出力パッチ部であり、ステレオ出力チャンネル部１２０、ＭＩＸ出力チャンネル部１２２およびマトリクス出力チャンネル部１２４の出力信号を、各出力部１２８，１３０の任意のポートまたは上記内蔵エフェクタ部１０６の任意のユニットに割り当てる。
【００１６】
１３１は第１ＣＵＥバス、１３２は第２ＣＵＥバスであり、上記各構成要素１０６〜１２６における音声信号のうち、ＣＵＥオン状態である一または複数の音声信号（ＣＵＥ信号）をミキシングする。また、ユーザは、第１，第２ＣＵＥバス１３１，１３２のカテゴリとして、「ステレオ」、「ＬＣＲ」、または「５．１サラウンドシステム」等の中から何れかを任意に選択することができる。すなわち、第１，第２ＣＵＥバス１３１，１３２は各々複数のチャンネルから成り、チャンネル数は選択されたカテゴリに応じて決定されることになる。例えば、「ステレオ」であれば「２」チャンネル、「ＬＣＲ」であれば「３」チャンネル、「５．１サラウンドシステム」であれば「６」チャンネルになる。これら第１，第２ＣＵＥバス１３１，１３２におけるミキシング結果は、ＣＵＥ出力信号としてＣＵＥ調整部１３４に供給され、音質・音量等が調整された後にＣＵＥ用アナログ出力部１３６に供給される。また、上記各構成要素１０６〜１２６は、第１または第２ＣＵＥバス１３１，１３２のうち一方に対してのみＣＵＥ信号を出力することができる。各ＣＵＥ信号を何れのＣＵＥバスに出力するかについては、ユーザが適宜設定することができる。
【００１７】
2．2．アルゴリズムの要部の構成
次に、入力チャンネル調整部１１２、ステレオ出力チャンネル部１２０およびＭＩＸ出力チャンネル部１２２におけるアルゴリズム構成の詳細を図３を参照し説明する。図３において１１２−ｎは第ｎ入力チャンネル調整部であり、第ｎ入力チャンネル（１≦ｎ≦１２８）における音質・音量調整を行う。また、１２２−ｍは第ｍＭＩＸ出力チャンネル部であり、第ｍＭＩＸ出力チャンネル（１≦ｍ≦９６）における音質・音量調整を行う。第ｎ入力チャンネル調整部１１２−ｎの内部において１５０はヘッドアンプであり、入力パッチ部１０８から供給された音声信号を増幅する。１５１はパラメトリックイコライザであり、該音声信号に対する音質調整を行う。すなわち、該音声信号は高域、中高域、中低域および低域の４バンドに帯域分割され、各帯域毎に、バンドパスフィルタ、ローパスフィルタ、ハイパスフィルタ、またはシェルビングフィルタによって周波数特性が調整される。１５２はダイナミクス設定部であり、音声信号のダイナミックレンジの伸長／圧縮処理を行う。
【００１８】
１５３はチャンネル遅延部であり、必要に応じて第ｎ入力チャンネルの音声信号を遅延させる。１５４は音量調整部であり、第ｎ入力チャンネルの音声信号のゲイン（信号レベル）を調節する。１５６はオンオフ切換部であり、第ｎ入力チャンネル全体のオンオフを切り換える。１６２−１〜１６２−９６は信号切換部であり、第ｎ入力チャンネルから「９６」系統のＭＩＸバスに各々出力され得る音声信号をフェードモードに応じて切り換える。すなわち、フェードモードが「プリフェード」に設定されると、チャンネル遅延部１５２の出力信号が選択され、「ポストフェード」に設定されるとオンオフ切換部１５６の出力信号が選択される。１６４−１〜１６４−９６はセンドレベル調節部であり、各ＭＩＸバスに出力する信号のゲインすなわちセンドレベルを調節する。
【００１９】
１６６−１〜１６６−９６はセンドオンオフ切換部であり、各ＭＩＸバスに対するセンドオンオフ状態（各ＭＩＸバスに対して音声信号を供給するか否かの状態）を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。１６８−Ｌ，ＲはＣＵＥ信号セレクタであり、第ｎ入力チャンネル調整部１１２−ｎからＣＵＥバス１３２に供給され得る音声信号を選択する。ここで、選択され得る音声信号とは、チャンネル遅延部１５２、音量調整部１５４、およびＰＡＮ設定部１６０の各出力信号である。１６９−Ｌ，ＲはＣＵＥスイッチであり、ＣＵＥオン／オフ状態（選択された音声信号をＣＵＥバス１３２に供給するか否か）を切り替える。
【００２０】
ところで、詳細は後述するが、本実施例においては、ユーザは、各入力チャンネルに対して「モノラル」、「ステレオ」、または「サラウンド」等のカテゴリを指定することができる。上述した構成要素１６８−Ｌ，Ｒおよび１６９−Ｌ，Ｒの構成は、第ｎ入力チャンネルに対して「モノラル」のカテゴリが指定され、かつ、ＣＵＥ信号の供給先であるＣＵＥバスのカテゴリが「ステレオ」であった場合の構成である。入力チャンネル等のＣＵＥ信号ソースのカテゴリは「モノラル」以外の場合があり、ＣＵＥバスのカテゴリも「ステレオ」以外の場合もある。このように、様々なカテゴリの組み合わせに応じて、構成要素１６８−Ｌ，Ｒおよび１６９−Ｌ，Ｒに対応する箇所のアルゴリズムの構成は様々に相違し、信号の「減衰」や「ミキシング」等を伴う場合もある。より具体的には、当該部分のアルゴリズムは図８に示すＣＵＥバスセンドレベルテーブル４００によって決定されるが、該テーブル４００の内容について詳細は後述する。
【００２１】
次に、ステレオ出力チャンネル部１２０の内部において１７０は音質調整部であり、上述したヘッドアンプ１５０、パラメトリックイコライザ１５１、およびダイナミクス設定部１５２と同様のものが「２」系統設けられており、ステレオ出力チャンネルにおける音質調整処理等を行う。１７２−Ｌ，Ｒは音量調整部であり、ステレオ出力チャンネルの左右の出力ゲインを調節する。１７４−Ｌ，Ｒはオンオフ切換部であり、ステレオ出力チャンネルの左右のオン／オフ状態を切り換える。１７６−Ｌ，Ｒはチャンネル遅延部であり、ステレオ出力チャンネルの音声信号を必要に応じて遅延する。また、特に図示しないが、ステレオ出力チャンネル部１２０においても、上記構成要素１６８−Ｌ，Ｒおよび１６９−Ｌ，Ｒに対応するＣＵＥ信号セレクタおよびＣＵＥスイッチが設けられている。そして、該ＣＵＥ信号セレクタにおいては、音質調整部１７０、音量調整部１７２−Ｌ，Ｒおよびチャンネル遅延部１７６−Ｌ，Ｒの何れかの出力信号がＣＵＥバス１３２に供給され得る音声信号として選択され、ＣＵＥスイッチにおいては、ＣＵＥオン／オフ状態が切り替えられる。
【００２２】
次に、第ｍＭＩＸ出力チャンネル部１２２−ｍの内部において１８０は音質調整部であり、上述したヘッドアンプ１５０、パラメトリックイコライザ１５１、およびダイナミクス設定部１５２と同様に構成され第ｍＭＩＸ出力チャンネルにおける音質調整処理等を行う。１８２は音量調整部であり、第ｍＭＩＸ出力チャンネルの出力ゲインを調節する。１８４はオンオフ切換部であり、第ｍＭＩＸ出力チャンネルのオン／オフ状態を切り換える。１８６はチャンネル遅延部であり、第ｍＭＩＸ出力チャンネルの音声信号を必要に応じて遅延する。また、特に図示しないが、第ｍＭＩＸ出力チャンネル部１２２−ｍにおいても、上記構成要素１６９−Ｌ，Ｒおよび１６８−Ｌ，Ｒに対応するＣＵＥ信号セレクタおよびＣＵＥスイッチが設けられている。そして、該ＣＵＥ信号セレクタにおいては、音質調整部１８０、音量調整部１８２およびチャンネル遅延部１８６の何れかの出力信号がＣＵＥバス１３２に供給され得る音声信号として選択され、ＣＵＥスイッチにおいては、ＣＵＥオン／オフ状態が切り替えられる。
【００２３】
図２においては、内蔵エフェクタ部１０６に属する各エフェクタは、出力パッチ部１２６を介して出力された音声信号を入力信号とし、エフェクト処理を施した音声信号を入力パッチ部１０８を介して出力するものであったが、これらのエフェクタは、第ｎ入力チャンネル調整部１１２−ｎ、ステレオ出力チャンネル部１２０、および第ｍＭＩＸ出力チャンネル部１２２−ｍの途中段階に介挿することもできる。例えば、第ｎ入力チャンネル調整部１１２−ｎにおいては、ヘッドアンプ１５０の後段、パラメトリックイコライザ１５１の後段、ダイナミクス設定部１５２の後段、または音量調整部１５４の後段のうち、任意の箇所にエフェクタを挿入することができる。
【００２４】
また、ステレオ出力チャンネル部１２０および第ｍＭＩＸ出力チャンネル部１２２−ｍにおいても、同様の位置にエフェクタを挿入することができる。このように、各調整部１１２−ｎ，１２０，１２２−ｍに挿入されたエフェクタを「インサーション・エフェクタ」という。ここで、第１入力チャンネル調整部１１２−１のパラメトリックイコライザ１５１の後段にモノラルのインサーション・エフェクタ１９２を挿入した例を図４(a)に示す。また、エフェクタはモノラルのものに限られず、ステレオ、あるいは５．１サラウンドシステムなどのカテゴリに属するエフェクタもあり、これらもインサーション・エフェクタとして適用することができる。その例を図４(b)，(c)に示す。
【００２５】
図４(b)は、第１，第２入力チャンネル調整部１１２−１，１１２−２の各パラメトリックイコライザ１５１の後段にステレオのインサーション・エフェクタ１９３を挿入した例であり、図４(c)は、第１〜第６入力チャンネル調整部１１２−１〜１１２−６の各パラメトリックイコライザ１５１の後段に５．１サラウンドシステムのインサーション・エフェクタ１９４を挿入した例である。これらインサーション・エフェクタ１９２，１９３，１９４もＣＵＥオン状態にすることができ、その際に第１または第２ＣＵＥバス１３１，１３２に供給されるＣＵＥ信号は、インサーション・エフェクタ１９２，１９３，１９４の出力端（図中で「Ｃｕｅポイント」と表記されている箇所）における音声信号である。インサーション・エフェクタのＣＵＥ信号は、入力チャンネル等のＣＵＥ信号とは別個のものとして扱われる。
【００２６】
3．デジタルミキサの外観構成
次に、本実施例のデジタルミキサの平面図を図５に示す。図５の前方左側において７２は音質調整部であり、選択された一のチャンネル（以下、「選択チャンネル」という）に対して、各種パラメータ（上記構成要素１５０〜１５３等のパラメータ）の詳細設定を行うための各種操作子および表示器から構成されている。また、７０はチャンネルストリップ群であり、「１６」のチャンネルストリップ７０−１〜７０−１６から構成されている。これらチャンネルストリップは、指定された「レイヤ」に属する「１６」のチャンネルに対して、信号レベル等の各種パラメータを設定する操作子等から構成されている。
【００２７】
一のチャンネルストリップは、電動フェーダ２、文字表示器４、ＣＵＥボタン６、ｆボタン８、ＳＥＬボタン１０、オン／オフ・ボタン１２、ノブ１４，１８から構成されている。特に電動フェーダ２は、割り当てられたチャンネルの信号レベル（音量調整部１５４，１７２−Ｌ，Ｒ，１８２のゲイン）を調整するものであり、ＣＵＥボタン６は、ＣＵＥオン／オフ状態（ＣＵＥスイッチ１６９−Ｌ，Ｒ等のオン／オフ状態）をトグルで切り替えるものである。７４は小型ディスプレイであり、ドットマトリクスディスプレイと、その上面に貼付されたタッチパネルとから構成されている。小型ディスプレイ７４は、シーンリコール、ユーザ定義機能、その他各種動作モードについての表示および操作を行うためのものである。また、７６−Ｌ，７６−Ｒは、ステレオ出力チャンネル部１２０専用のチャンネルストリップである。
【００２８】
ここで、チャンネルストリップ７０−１〜７０−１６に割り当てられ得る「レイヤ」について説明しておく。上述したように、入力チャンネルの数は「１２８」、ＭＩＸ出力チャンネルの数は「９６」、マトリクス出力チャンネルの数は「４８」であり、これらのチャンネルにおいては、「１６」チャンネルづつチャンネル番号順に分割したものが「レイヤ」になる。従って、レイヤ数は、入力チャンネルについては「８」、ＭＩＸ出力チャンネルについては「６」、マトリクス出力チャンネルについては「３」である。さらに、本実施例においては「ＤＣＡ」用に、「１」のレイヤ（「１６」チャンネル）が設けられている。
【００２９】
「ＤＣＡ（Ditigal Controlled Amplifier）」とは、複数の入力チャンネル等に対して、各入力チャンネル等のフェーダとは別の共通のフェーダ（ＤＣＡフェーダ）を割り当て、ＤＣＡフェーダによって設定されたゲインを、各入力チャンネル等のフェーダによって設定されたゲインに加算（リニアスケールでは乗算）し、これによって該複数の入力チャンネル等のゲインを決定することをいう。ＤＣＡフェーダは、主として、ピアノ、ドラムなどの大型の楽器や、例えばオーケストラの一部のパートの音量制御に用いられる。一般的にピアノ等、大型の楽器の演奏音は複数本のマイクによって集音される。これら複数のマイクはバランス調節を行うために各々個別の入力チャンネル等に割り当てられる。そして、これら入力チャンネル等によって「ＤＣＡグループ」が構成され、このＤＣＡグループに対して一のＤＣＡフェーダに割り当てられ、楽器全体としての音量はＤＣＡフェーダによって調節されるのである。なお、ＤＣＡフェーダに対応するＣＵＥ信号は、上記ＤＣＡグループに属する入力チャンネル等のＣＵＥ信号をミキシングした結果になる。
【００３０】
次に、図５の後方左側において８０はセンドレベル調整部であり、選択チャンネルが入力チャンネル等であるとき、該選択チャンネルから、各ＭＩＸバスへのセンドレベル等を設定する。センドレベル調整部８０の内部においては、「１６」個のノブから成るノブ群８０ａと、ノブ群８０ａにアサインするレイヤを選択するための複数のボタンから成るレイヤ選択部８０ｂとが設けられている。ノブ群８０ａに含まれる各ノブは、選択チャンネルにおけるセンドレベル調節部１６４−１〜１６４−９６（図３参照）の何れかに割り当てられ、当該ノブが回動操作されると、対応するセンドレベル調節部１６４−ｍ（１≦ｍ≦９６）のゲインが増減される。８２は左メインディスプレイ、８４は右メインディスプレイであり、各々ドットマトリクスディスプレイと、その上面に貼付されたタッチパネルとから構成されている。
【００３１】
4．エフェクタ設定画面の例
ユーザは、所定の操作を行うことにより、次に、左右メインディスプレイ８２，８４に所望のエフェクタの設定画面を表示させることができる。図６に、その一例であるエフェクタ設定画面２００を示す。図６において２０２は画像表示部であり、該エフェクタによって付与される効果処理の内容を画像によって表示する。２０３〜２０７はノブ画像であり、該エフェクタのパラメータ値を表示する。なお、ノブ画像２０３〜２０７は、操作パネルにおける複数のノブ１８（図５参照）の直後の位置に配置され、ユーザは、これらノブ画像に対応するパラメータ値をノブ１８を操作することによって設定することができる。２１０はＣＵＥボタン画像であり、ユーザによって押下される毎に当該エフェクタのＣＵＥオン／オフ状態がトグルで切り替えられる。
【００３２】
5．データ構成
5．1．入力チャンネル管理テーブル３００
メモリ２６のＲＡＭには、図７に示す入力チャンネル管理テーブル３００および図８に示すＣＵＥバスセンドレベルテーブル４００が記憶されている。
まず、図７の管理テーブル３００内において３０２はチャンネル番号欄であり、入力チャンネル調整部１１２−１〜１１２−１２８に対して、「Ch 1」〜「Ch 128」の番号が順次記憶されている。３０４はカテゴリ欄であり、「モノラル」「ステレオ」、または「サラウンド」の何れかのカテゴリが記憶される。「モノラル」においては、一の入力チャンネルの音声信号が他の入力チャンネルの音声信号とは独立しており、「ステレオ」においては、二の入力チャンネルの音声信号がグループ（ペア）を構成している。また、「サラウンド」とは、三以上の入力チャンネルの音声信号がグループを構成している場合である。より詳細には、「サラウンド」のカテゴリは、実際は「ＬＣＲ」、「５．１サラウンド」等に区別される。
【００３３】
また、カテゴリ欄３０４においては、各カテゴリ内における当該入力チャンネルの信号種別も記憶される。例えば、カテゴリが「ステレオ」であれば、信号種別としてＬ（左），Ｒ（右）の別が記憶される。また、カテゴリが「サラウンド」である場合は、サラウンドの種類に応じて信号種別も異なるが、例えば「ＬＣＲ」においては、Ｌ（左フロント），Ｃ（センター），Ｒ（右フロント）の信号種別が記憶される。また、例えば５．１サラウンドシステムにおいては、Ｌ（左フロント），Ｃ（センター），Ｒ（右フロント）に加えて、Ｌｓ（左サラウンド），Ｒｓ（右サラウンド），ＬＦＥ（低域効果音）の信号種別が記憶される。なお、ＬＦＥ（低域効果音）とは、低域の効果音のみを出力するチャンネルであり、１２０Ｈｚ以下の周波数成分を有する（１２０Ｈｚ以上の周波数帯域をカットした）重低音を補助的に出力することで、音響に迫力を加えるためのものである。
【００３４】
３０６は名称欄であり、当該入力チャンネルの名称が記憶される。但し、同一のグループを構成するチャンネルには、同一の名称が記憶される。３０８はグループＩＤ欄であり、入力チャンネルのグループ毎に一意の識別番号を記憶する。図７の例にあっては、第１，第２入力チャンネル（Ch 1，Ch 2）には、共に同一の識別番号「１０１」が付与されており、両者によってステレオのグループが構成されている。また、第７〜第１２入力チャンネル（Ch 7〜Ch 12）には、共に同一の識別番号「１０６」が付与され、これらによって「５．１サラウンド」のグループが構成されている。また、第１４〜第１６入力チャンネル（Ch 14〜Ch 16）には、共に同一の識別番号「１０８」が付与され、これらによって「ＬＣＲ」のグループが構成されている。他の入力チャンネルは、各々が「モノラル」のグループを構成している。なお、入力チャンネル管理テーブル３００にあっては、チャンネル番号欄３０２は固定であり、カテゴリ欄３０４、名称欄３０６、および自動割当モード欄３１０の内容はユーザが任意に設定することができる。また、グループＩＤ欄３０８における識別番号は、ユーザによるカテゴリ欄３０４の設定結果に基づいて自動的に付与される。
【００３５】
以上、入力チャンネル管理テーブル３００の内容について詳述したが、メモリ２６のＲＡＭ内にはＭＩＸ出力チャンネル部１２２およびマトリクス出力チャンネル部１２４に対しても、入力チャンネル管理テーブル３００と同様の管理テーブルが記憶されており、各ＭＩＸ出力チャンネルおよび各マトリクス出力チャンネルに対して、入力チャンネルと同様に、カテゴリ、名称、グループＩＤが指定される。なお、第ｍＭＩＸ出力チャンネル部１２２−ｍに設定されるカテゴリおよび信号種別は、そのままＭＩＸバス１１６−ｍのカテゴリおよび信号種別でもある。
【００３６】
5．2．ＣＵＥバスセンドレベルテーブル４００
次に、図８のＣＵＥバスセンドレベルテーブル４００において、横軸は、ＣＵＥ信号ソースのカテゴリおよび信号種別を表しており、縦軸は、ＣＵＥバスのカテゴリおよび信号種別を表している。「ＣＵＥ信号ソース」とは、具体的には入力チャンネル、ＭＩＸ出力チャンネル、マトリクス出力チャンネル、エフェクタ等である。横軸および縦軸の交差点は、当該ＣＵＥ信号ソースからＣＵＥバスへのセンドレベル（ゲイン）をリニアスケールで表したものである。すなわち、デシベル表記に変換すると、図中の「１」は「０ [ｄＢ]」、図中の「０」は「−∞ [ｄＢ]」になる。「Ｘ01」，「Ｘ02」，「Ｘ03」等、「Ｘ」と２桁の数字で表される変数は、リニアスケールで「０〜１」の範囲で、ユーザが任意に設定することができる。但し、これらの変数は、通常の使用状態では「０」よりも大きい値に設定される。また、図８は、入力チャンネルのカテゴリとして「モノラル」、「ステレオ」、「ＬＣＲ」、「５．１サラウンド」の「４」種類のみについて図示し、他のカテゴリについては図示を省略している。
【００３７】
以下、図８の内容についてさらに詳細を説明する。まず、ＣＵＥ信号ソースにおける各チャンネルの信号種別（「Ｌ」，「Ｃ」，「Ｒ」等）に「_in」の文字列を付加し、ＣＵＥバスにおける各チャンネルの信号種別に「_out」の文字列を付加すると、ＣＵＥ信号ソースのＬ（左）チャンネルからＣＵＥバスのＬ（左）チャンネルへのセンドレベルを「センドレベルＳＬ（Ｌ_in，Ｌ_out）」のように表記することができる。また、信号種別を表すＬ_in，Ｌ_out等の文字列がリニアスケールの「信号レベル」も表すものとし、Ｌ_outをＬ_inの一次関数として表現することにより、リニアスケールのセンドレベルを表すことができる。例えば、
Ｌ_out＝Ｘ00・Ｌ_in                …式（１）
のような数式である。この式において、左辺における「Ｌ_out」は、ＣＵＥバスのＬ（左）チャンネルに現れる信号レベルである。また、右辺における「Ｌ_in」は、ＣＵＥ信号ソースの元々の信号レベルである。そして、「Ｌ_in」に対する係数「Ｘ00」は、センドレベルＳＬ（Ｌ_in，Ｌ_out）をリニアスケールで表現した値になる。
【００３８】
(1)ソース：ステレオ→ＣＵＥバス：ステレオ
ＣＵＥ信号ソースが「ステレオ」グループを形成し、対応するＣＵＥバスに設定されたカテゴリも「ステレオ」である場合、リニアスケールで表したセンドレベルは以下の通りになる。
ＳＬ（Ｌ_in，Ｌ_out）＝１，
ＳＬ（Ｌ_in，Ｒ_out）＝０，
ＳＬ（Ｒ_in，Ｌ_out）＝０，
ＳＬ（Ｒ_in，Ｒ_out）＝１                …式（２）
ここで、信号種別を表すＬ_in，Ｌ_out，Ｒ_in，Ｒ_outをリニアスケールの「信号レベル」も表すものとし、上記各センドレベルを係数として用いた数式で信号レベルＲ_in，Ｒ_outを表現すると、下式のようになる。
Ｌ_out＝１・Ｌ_in＋０・Ｒ_in＝Ｌ_in
Ｒ_out＝０・Ｌ_in＋１・Ｒ_in＝Ｒ_in        …式（３）
式（２），（３）は等価であり、以後は主として式（３）の形式によって各種センドレベルを表記する。上記センドレベルは、図８において、横軸の「ステレオ」と縦軸の「ステレオ」との交差範囲に相当する。
【００３９】
(2)ソース：ＬＣＲ→ＣＵＥバス：ステレオ
ＣＵＥ信号ソースが「ＬＣＲ」グループを形成し、対応するＣＵＥバスに設定されたカテゴリが「ステレオ」である場合、各センドレベルは、下式に基づいて設定される。
ＳＬ（Ｌ_in，Ｌ_out）＝Ｘ01，
ＳＬ（Ｌ_in，Ｒ_out）＝０，
ＳＬ（Ｒ_in，Ｌ_out）＝０，
ＳＬ（Ｒ_in，Ｒ_out）＝Ｘ02，
ＳＬ（Ｃ_in，Ｌ_out）＝Ｘ03，
ＳＬ（Ｃ_in，Ｒ_out）＝Ｘ03              …式（４）
また、式（４）は、上式（３）の表現方法によれば、次のように表記できる。
Ｌ_out＝Ｘ01・Ｌ_in＋Ｘ03・Ｃ_in
Ｒ_out＝Ｘ02・Ｒ_in＋Ｘ03・Ｃ_in          …式（５）
上記センドレベルは、図８において、横軸の「ＬＣＲ」と縦軸の「ステレオ」との交差範囲に相当する。
【００４０】
(3)ソース：５．１サラウンド→ＣＵＥバス：ステレオ
ＣＵＥ信号ソースが「５．１サラウンド」グループを形成し、対応するＣＵＥバスに設定されたカテゴリが「ステレオ」である場合、各センドレベルは、下式に基づいて設定される。
Ｌ_out＝Ｘ11・Ｌ_in＋Ｘ13・Ｌｓ_in＋Ｘ15・Ｃ_in＋Ｘ16・ＬＦＥ_in，
Ｒ_out＝Ｘ12・Ｒ_in＋Ｘ14・Ｒｓ_in＋Ｘ15・Ｃ_in＋Ｘ16・ＬＦＥ_in  …式（６）
上記センドレベルは、図８において、横軸の「５．１サラウンド」と縦軸の「ステレオ」との交差範囲に相当する。
【００４１】
(4)ソース：ステレオ→ＣＵＥバス：ＬＣＲ
ＣＵＥ信号ソースが「ステレオ」グループを形成し、対応するＣＵＥバスに設定されたカテゴリが「ＬＣＲ」である場合、図８によれば、各センドレベルは、下式に基づいて設定される。
Ｌ_out＝Ｌ_in，
Ｃ_out＝Ｘ21・Ｌ_in＋Ｘ22・Ｒ_in，
Ｒ_out＝Ｒ_in                              …式（７）
【００４２】
(5)ソース：ＬＣＲ→ＣＵＥバス：ＬＣＲ
ＣＵＥ信号ソースが「ＬＣＲ」グループを形成し、対応するＣＵＥバスに設定されたカテゴリが「ＬＣＲ」である場合、図８によれば、各センドレベルは、下式に基づいて設定される。
Ｌ_out＝Ｌ_in，
Ｃ_out＝Ｃ_in，
Ｒ_out＝Ｒ_in                              …式（８）
【００４３】
(6)ソース：５．１サラウンド→ＣＵＥバス：ＬＣＲ
ＣＵＥ信号ソースが「５．１サラウンド」グループを形成し、対応するＣＵＥバスに設定されたカテゴリが「ＬＣＲ」である場合、図８によれば、各センドレベルは、下式に基づいて設定される。
Ｌ_out＝Ｘ31・Ｌ_in＋Ｘ33・Ｌｓ_in＋Ｘ36・ＬＦＥ_in，
Ｃ_out＝Ｃ_in＋Ｘ36・ＬＦＥ_in，
Ｒ_out＝Ｘ32・Ｒ_in＋Ｘ34・Ｒｓ_in＋Ｘ36・ＬＦＥ_in  …式（９）
【００４４】
(7)ソース：ステレオ→ＣＵＥバス：５．１サラウンド
ＣＵＥ信号ソースが「ステレオ」グループを形成し、対応するＣＵＥバスに設定されたカテゴリが「５．１サラウンド」である場合、図８によれば、各センドレベルは、下式に基づいて設定される。
Ｌ_out＝Ｌ_in，
Ｃ_out＝Ｘ41・Ｌ_in＋Ｘ41・Ｒ_in，
Ｒ_out＝Ｒ_in，
Ｌｓ_out＝Ｌ_in，
Ｒｓ_out＝Ｒ_in，
ＬＦＥ_out＝Ｘ42・Ｌ_in＋Ｘ42・Ｒ_in                …式（１０）
【００４５】
(8)ソース：ＬＣＲ→ＣＵＥバス：５．１サラウンド
ＣＵＥ信号ソースが「ＬＣＲ」グループを形成し、対応するＣＵＥバスに設定されたカテゴリが「５．１サラウンド」である場合、図８によれば、各センドレベルは、下式に基づいて設定される。
Ｌ_out＝Ｌ_in，
Ｃ_out＝Ｃ_in，
Ｒ_out＝Ｒ_in
Ｌｓ_out＝Ｃ_in＋Ｘ51・Ｌ_in，
Ｒｓ_out＝Ｃ_in＋Ｘ52・Ｒ_in，
ＬＦＥ_out＝Ｃ_in＋Ｘ53・Ｌ_in＋Ｘ54・Ｒ_in        …式（１１）
【００４６】
(9)ソース：５．１サラウンド→ＣＵＥバス：５．１サラウンド
ＣＵＥ信号ソースが「５．１サラウンド」グループを形成し、対応するＣＵＥバスに設定されたカテゴリが「５．１サラウンド」である場合、図８によれば、各センドレベルは、下式に基づいて設定される。
Ｌ_out＝Ｌ_in，
Ｃ_out＝Ｃ_in，
Ｒ_out＝Ｒ_in
Ｌｓ_out＝Ｌｓ_in，
Ｒｓ_out＝Ｒｓ_in，
ＬＦＥ_out＝ＬＦＥ_in                              …式（１２）
【００４７】
(10)ＣＵＥ信号ソースがモノラルである場合
ＣＵＥ信号ソースのカテゴリが「モノラル」である場合は、図８によれば、対応するＣＵＥバスに設定されたカテゴリに関わらず、センドレベルは、リニアスケールで「１」に設定される。
以上のように、ＣＵＥバスセンドレベルテーブル４００においては、各ＣＵＥ信号ソースおよびＣＵＥバスのカテゴリの組み合わせに対して、ＣＵＥバスへのセンドレベルが指定されている。
【００４８】
6．実施例の動作
6．1．動作の前提
(1)ＣＵＥグループについて
次に、本実施例における動作の前提について説明する。まず、本実施例においては、ＣＵＥ信号は図９に示すように複数のグループに分類されている。これらのグループを「ＣＵＥグループ」という。ＣＵＥグループには、「Output」、「DCA」、「Input」および「Others」の４種類がある。ここで、ＣＵＥグループ「Output」は、ＭＩＸ出力チャンネル、マトリクス出力チャンネルおよびステレオ出力チャンネルのＣＵＥ信号から構成されている。また、ＣＵＥグループ「DCA」は、ＤＣＡグループのＣＵＥ信号から構成されている。また、ＣＵＥグループ「Input」は、入力チャンネルのＣＵＥ信号から構成されている。また、ＣＵＥグループ「Others」は、その他のＣＵＥ信号、例えば内蔵エフェクタ部１０６、インサーション・エフェクタ１９２，１９３，１９４等のＣＵＥ信号から構成されている。
【００４９】
ここで、各ＣＵＥグループには、「常用度」という値が定義されており、これは、常用される傾向が強いほど、高い値になる。ミキサのユーザが通常の状態で監視する傾向の強いＣＵＥ信号は、最終的に出力されている音声信号であるから、「Output」に対して、最高の常用度「４」が付与されている。また、「DCA」に属するＣＵＥ信号は、複数の入力チャンネルをミキシングした結果であるから、個々の入力チャンネルに係る「Input」のＣＵＥ信号よりも常用される傾向が強いと考えられるため、「DCA」および「Input」には、各々「３」および「２」の常用度が付与されている。また、「Others」に属するその他のＣＵＥ信号は、ユーザがモニタする頻度は最も低いと考えられるため、最低の常用度「１」が付与されている。
【００５０】
(2)ＣＵＥモード
各チャンネルストリップ７０−１〜７０−１６，７６−Ｌ，７６−Ｒにおいて、ＣＵＥボタン６を操作すると、当該ＣＵＥボタン６に係るＣＵＥ信号のオン／オフ状態がトグルで切り替えられる。その際、他のチャンネルのＣＵＥ信号の取扱を定める動作モードとして、ユーザは、小型ディスプレイ７４において所定の操作を行うことにより、「ＣＵＥモード」を指定することができる。ＣＵＥモードは、「ラストＣＵＥモード」または「ミックスＣＵＥモード」のうち何れかである。ラストＣＵＥモードにおいては、最後にオン操作された一のＣＵＥボタン６に係る一系統のＣＵＥ信号のみがオン状態になり、他のＣＵＥ信号はオフ状態に設定される。
【００５１】
一方、ミックスＣＵＥモードにおいては、複数のＣＵＥボタン６のオン操作によって複数チャンネルのＣＵＥ信号をオン状態に設定することができ、これら複数のＣＵＥ信号はミキシングされ、ユーザにモニタされるＣＵＥ出力信号として出力される。但し、同時にオン状態に設定できるＣＵＥ信号は、上記ＣＵＥグループ「Output」、「DCA」、「Input」、「Others」のうち何れか一グループに属するＣＵＥ信号に限られる。従って、ミックスＣＵＥモードが選択され、あるＣＵＥグループに属する複数のＣＵＥ信号がオン状態であるとき、他のグループに係るＣＵＥボタン６がオン操作されると、この最後にオン操作されたＣＵＥボタン６に係るＣＵＥ信号のみがオン状態になり、それ以前にオン状態であったＣＵＥ信号は全てオフ状態に設定されることになる。
【００５２】
6．2．管理パラメータ設定処理
6．2．1．入力チャンネル等の設定
ユーザが小型ディスプレイ７４において所定の操作を行うと、上記入力チャンネル管理テーブル３００（図７）の内容を設定するために、図１０に示す入力チャンネル設定ウィンドウ３５０が左右メインディスプレイ８２，８４に表示される。図１０において３５２はチャンネル番号欄であり、上記入力チャンネル管理テーブル３００（図７）におけるチャンネル番号欄３０２の内容が表示される。また、３５４はカテゴリ選択欄であり、管理テーブル３００におけるカテゴリ欄３０４の内容を設定するために、各チャンネル毎に設けられたリストボックスによって構成されている。
【００５３】
３５６は名称設定欄であり、管理テーブル３００における名称欄３０６の内容を設定するために、各チャンネル毎に設けられたテキストボックスによって構成されている。３６０はＯＫボタンであり、ユーザによって押下されると、入力チャンネル設定ウィンドウ３５０における設定内容を反映するように入力チャンネル管理テーブル３００の内容が更新され、しかる後に入力チャンネル設定ウィンドウ３５０が閉じられる。また、３６２はキャンセルボタンであり、ユーザによって押下されると、管理テーブル３００を更新することなく設定ウィンドウ３５０が閉じられる。３６４はスクロールボタンであり、設定ウィンドウ３５０に表示される入力チャンネルをスクロールする（「１６」チャンネルづつ増加または減少させる）。
【００５４】
上記カテゴリ選択欄３５４のリストボックスにおいては、モノラル、ステレオ、サラウンド等のカテゴリが選択できる。そして、ステレオおよびサラウンドにあっては、ある入力チャンネルのカテゴリが設定されると、これに続く番号のチャンネルについても、カテゴリが自動的に設定される。例えば、ある第ｎ入力チャンネルのカテゴリが「ステレオ」に設定されると、該第ｎ入力チャンネルの信号種別がステレオＬ（左）に設定され、番号が「１」だけ大きい第（ｎ＋１）入力チャンネルの信号種別が同一グループのステレオＲ（右）に設定される。また、第ｎ入力チャンネルに対して「ＬＣＲ」のカテゴリが設定されると、該第ｎ入力チャンネルを始点とする「３」チャンネルによってＬＣＲのグループが形成される。これら信号種別はチャンネル番号順に、Ｌ（左フロント），Ｃ（センター），Ｒ（右フロント）に設定される。第ｎ入力チャンネルに対して「５．１サラウンド」のカテゴリが設定されると、当該入力チャンネルを始点とする「６」チャンネルによってサラウンドのグループが形成される。これら信号種別はチャンネル番号順に、Ｌ（左フロント），Ｃ（センター），Ｒ（右フロント），Ｌｓ（左サラウンド），Ｒｓ（右サラウンド），ＬＦＥ（低域効果音）に設定される。
【００５５】
図示の例にあっては、第１入力チャンネルのカテゴリが「ステレオ」に設定された結果、第１，第２入力チャンネルのカテゴリが共に「ステレオ」に設定されている。また、第１入力チャンネルの信号種別がＬ（左）に設定されるとともに、第２入力チャンネルの信号種別がＲ（右）に設定されている。また、第７入力チャンネルのカテゴリが「５．１サラウンド」に設定された結果、第７〜第１２入力チャンネルによって「５．１サラウンド」のグループが形成され、これらの信号種別がＬ（左フロント），Ｃ（センター），Ｒ（右フロント），Ｌｓ（左サラウンド），Ｒｓ（右サラウンド），ＬＦＥ（低域効果音）に順次設定されている。
【００５６】
以上、入力チャンネル設定ウィンドウ３５０（図１０）の内容について説明したが、ＭＩＸ出力チャンネルおよびマトリクス出力チャンネルについても、左右メインディスプレイ８２，８４に同様のウィンドウを表示させることができ、これらのカテゴリ、信号種別および名称を指定することができる。
【００５７】
6．2．2．ＣＵＥバスのカテゴリ設定
ユーザが小型ディスプレイ７４において所定の操作を行うと、図１１に示すＣＵＥバス設定ウィンドウ２５０が左右メインディスプレイ８２，８４に表示される。図１１において２５２，２５４は第１および第２ＣＵＥバス用カテゴリ選択欄であり、ユーザは、「ステレオ」、「ＬＣＲ」または「５．１サラウンド」の中から所望のものを第１および第２ＣＵＥバス１３１，１３２のカテゴリとして選択することができる。２５６はＯＫボタンであり、ユーザによって押下されると、ＣＵＥバス設定ウィンドウ２５０における設定内容を反映するように、ＤＳＰ３６内のアルゴリズムの内容が更新され、しかる後に設定ウィンドウ２５０が閉じられる。また、２５８はキャンセルボタンであり、ユーザによって押下されると、ＤＳＰ３６内のアルゴリズムを更新することなく、設定ウィンドウ２５０が閉じられる。
【００５８】
6．3．ＣＵＥオン設定イベント処理（図１２(a)）
次に、ＣＵＥオン設定イベントルーチン（図１２(a)）の処理内容を説明する。本ルーチンは、ＣＵＥオフ状態になっているチャンネルに係るＣＵＥボタン６、あるいはＣＵＥオフ状態になっているエフェクタに係るＣＵＥボタン画像（図６の２１０等）がオン操作された場合に起動される。図１２(a)において処理がステップＳＰ２０に進むと、他にＣＵＥオン状態である一または複数のＣＵＥ信号ソース（チャンネルまたはエフェクタ等。以下、「現在ソース」という）が存在するか否かが判定される。ここで「ＮＯ」（存在しない）と判定されると、処理はステップＳＰ３２に進み、今回のＣＵＥオン設定イベントに係るＣＵＥ信号ソース（チャンネルまたはエフェクタ等。以下、「対象ソース」という）がＣＵＥオン状態に設定される。すなわち、当該ＣＵＥ信号ソースのカテゴリと、該ＣＵＥ信号ソースに割り当てられたＣＵＥバスのカテゴリとに応じて、図８に示したセンドレベルが設定される。
【００５９】
一方、既にＣＵＥオン状態である現在ソースが存在する場合は、ステップＳＰ２０において「ＹＥＳ」と判定され、処理はステップＳＰ２２に進む。ここでは、現在ソースの属するＣＵＥグループ名（「Output」、「DCA」、「Input」または「Others」）が取得される。次に、処理がステップＳＰ２４に進むと、対象ソースに係るＣＵＥグループ（以下、「対象グループ」という）と、現在ソースに係るＣＵＥグループ（以下、「現在グループ」という）とが同一であるか否かが判定される。ここで「ＹＥＳ（同一グループ）」と判定されると処理はステップＳＰ３２に進み、対象ソースがＣＵＥオン状態に設定される。
【００６０】
このように、ステップＳＰ２４を介してステップＳＰ３２が実行される場合、現在ソースがＣＵＥオフ状態に設定されるか否かは、ＣＵＥモードとして「ラストＣＵＥモード」、「ミックスＣＵＥモード」の何れが選択されているかに応じて異なる。すなわち、ラストＣＵＥモードが選択されている場合は、現在ソースは全てＣＵＥオフ状態に設定され、対象ソースのみがＣＵＥオン状態に設定される。一方、ＣＵＥモードとしてミックスＣＵＥモードが選択されている場合、現在ソースはＣＵＥオン状態のまま維持されるとともに、それに加えて、対象ソースもＣＵＥオン状態に設定される。
【００６１】
一方、対象グループと現在グループとが異なる場合、ステップＳＰ２４において「ＮＯ」と判定され、処理はステップＳＰ２６に進む。ここでは、対象グループの常用度が現在グループの常用度よりも高いか否かが判定される。ここで「ＮＯ」と判定されると、処理はステップＳＰ２８に進み、現在ソースを特定する情報（以下、「ソース情報」という）がメモリ２６内の所定領域に記憶される。ここで、ソース情報は、ＣＵＥグループ毎に記憶されるが、常用度が最低である「Others」についてはソース情報を記憶する状況は生じないため、メモリ２６には、「Output」、「DCA」および「Input」の各ＣＵＥグループに対応した、最大「３」種類のソース情報が記憶される。そして、ステップＳＰ２８にあっては、「Output」、「DCA」または「Input」のうち、現在グループに係るソース情報が記憶される（または更新される）ことになる。次に、ステップＳＰ３０，３２が実行されることにより、現在ソースが全てＣＵＥオフ状態に設定され、対象ソースがＣＵＥオン状態に設定される。
【００６２】
6．4．ＣＵＥオフ設定イベント
次に、ＣＵＥオフ設定イベントルーチン（図１２(b)）の処理内容を説明する。本ルーチンは、ＣＵＥオン状態になっているチャンネルに係るＣＵＥボタン６、あるいはＣＵＥオン状態になっているエフェクタに係るＣＵＥボタン画像がオフ操作された場合に起動される。図１２(b)において処理がステップＳＰ４０に進むと、他にＣＵＥオン状態である一または複数のソースが存在するか否かが判定される。ここで「ＹＥＳ」（存在する）と判定されると、処理はステップＳＰ４６に進み、今回のＣＵＥオフ設定イベントに係るソース（以下、「対象ソース」という）がＣＵＥオフ状態に設定され、本ルーチンが終了する。
【００６３】
一方、他にＣＵＥオン状態であるソースが無い場合は、ステップＳＰ４０において「ＮＯ」と判定され、処理はステップＳＰ４１に進む。ここでは、対象グループ（対象ソースの属するＣＵＥグループ）に係るソース情報（上記ステップＳＰ２８において記憶される情報）がクリアされる。次に処理がステップＳＰ４２に進むと、対象ソースに係る常用度よりも高い常用度を有するソース情報がメモリ２６内に保存されているか否かが判定される。ここで「ＹＥＳ」（保存されている）と判定されると、処理はステップＳＰ４４に進み、「対象ソースに係る常用度よりも高い常用度を有するソース情報のうち、常用度が最も低いソース情報」に基づいてＣＵＥオン／オフ状態が再現される。
【００６４】
このステップＳＰ４４の処理において、「対象ソースに係る常用度よりも高い常用度を有するソース情報のうち、常用度が最も低いソース情報」について具体的に説明しておく。例えば現在グループが「Others」であって、該「Others」グループの全てのチャンネルがＣＵＥオフ状態にされると、「Input」に係るソース情報が記憶されているか否かが判定され、記憶されている場合には、「Input」に係るソース情報に基づいてＣＵＥオン／オフ状態が再現される。一方、「Input」に係るソース情報が記憶されていない場合には、「DCA」に係るソース情報が記憶されているか否かが判定され、記憶されている場合には、「DCA」に係るソース情報に基づいてＣＵＥオン／オフ状態が再現される。「Input」，「DCA」の何れに係るソース情報も記憶されていない場合には、「Output」に係るソース情報が記憶されているか否かが判定され、記憶されている場合には、「Output」に係るソース情報に基づいてＣＵＥオン／オフ状態が再現される。また、「Input」，「DCA」，「Output」の何れのＣＵＥグループについてもソース情報が記憶されていない場合には、ステップＳＰ４４においては実質的な処理は行われない。次に、処理がステップＳＰ４６に進むと、今回のＣＵＥオフ設定イベントに係る対象ソースがＣＵＥオフ状態に設定され、本ルーチンが終了する。
【００６５】
7．具体的動作例
次に、本実施例の具体的な動作例を図１３を参照し説明する。図１３は、第１〜第１６入力チャンネルをＣＵＥ信号ソースとし、これらＣＵＥ信号ソースがＣＵＥオン状態に設定されたときに第１，第２ＣＵＥバス１３１，１３２に供給されるＣＵＥ信号のセンドレベルの概要を示したものである。ここで、第１〜第１６入力チャンネルのカテゴリは、図１０の入力チャンネル設定ウィンドウ３５０の通りであるとし、これらのＣＵＥ信号の出力先として第２ＣＵＥバス１３２が選択されているものとする。また、第１，第２ＣＵＥバス１３１，１３２のカテゴリは、図１１の設定ウィンドウ２５０の通りであるとする。
【００６６】
ここで、５．１サラウンドのグループを構成する第７〜第１２入力チャンネルの音声信号をモニタする必要が生じたとする。この場合、ユーザは、ＣＵＥモードとしてミックスＣＵＥモードを選択し、操作パネル上で第７〜第１２入力チャンネルに係る「６」個のＣＵＥボタン６を押下してＣＵＥオン状態にするとよい。すると、図１３に示すように、第７〜第１２入力チャンネルにおけるＬ（左フロント），Ｃ（センター），Ｒ（右フロント）Ｌｓ（左サラウンド），Ｒｓ（右サラウンド），ＬＦＥ（低域効果音）の各音声信号が、第２ＣＵＥバス１３２において対応するチャンネルにのみ、自動的に供給される。この第２ＣＵＥバス１３２から出力されたＣＵＥ出力信号を５．１サラウンドシステムのスピーカを介して放音することにより、ユーザは、第７〜第１２入力チャンネルによる音像位置などを正確に把握することができる。
【００６７】
ここで、第７〜第１２入力チャンネルには、５．１サラウンドシステムのインサーション・エフェクタ（例えば、図４(c)のインサーション・エフェクタ１９４）が挿入されていたとする。そして、そのエフェクタのパラメータを調節する必要が生じたとする。この場合、ユーザは、当該インサーション・エフェクタの設定画面（例えば図６のエフェクタ設定画面２００）を左右メインディスプレイ８２，８４に表示させパラメータを調節すればよい。ここで、該インサーション・エフェクタのパラメータを調節するにあたっては、該インサーション・エフェクタ自体の出力信号を聞きながら行うことが望ましい。そこで、ユーザは、該設定画面におけるＣＵＥボタン画像２１０を押下し、これをＣＵＥオン状態に設定することになる。
【００６８】
ＣＵＥボタン画像２１０に対するＣＵＥオン操作が行われると、上述のようにＣＵＥオン設定イベントルーチン（図１２(a)）が起動される。この時点以前にＣＵＥオン状態であったＣＵＥ信号ソース、すなわち現在ソースは第７〜第１２入力チャンネルであり、図９によれば、その常用度は「２」である。そして、新たにＣＵＥオン操作がなされたＣＵＥ信号ソース、すなわち対象ソースはインサーション・エフェクタであり、図９によれば、その常用度は「１」である。このように、対象ソース（エフェクタ）よりも現在ソースの常用度が高いため、この場合はステップＳＰ２８の処理が実行され、これら現在ソースを特定するソース情報がメモリ２６に記憶される。
【００６９】
そして、ステップＳＰ３０の処理が実行されると、これら現在ソース（第７〜第１２入力チャンネル）がＣＵＥオフ状態に設定され、しかる後に対象ソース（エフェクタ）がＣＵＥオン状態に設定される。すなわち、当該エフェクタから出力されるＬ（左フロント），Ｃ（センター），Ｒ（右フロント）Ｌｓ（左サラウンド），Ｒｓ（右サラウンド）およびＬＦＥ（低域効果音）の各チャンネルの信号が、第２ＣＵＥバス１３２における対応するチャンネルに供給される。そして、第２ＣＵＥバス１３２からのＣＵＥ出力信号が５．１サラウンドシステムのスピーカを介して放音されると、ユーザは、音像位置などを正確に把握しつつ、インサーション・エフェクタのパラメータを調整することができる。
【００７０】
インサーション・エフェクタのパラメータ調整が終了し、再び第７〜第１２入力チャンネルの出力信号をモニタする必要が生じると、ユーザは再びＣＵＥボタン画像２１０を押下し、インサーション・エフェクタをＣＵＥオフ状態に設定するとよい。ＣＵＥボタン画像２１０に対するＣＵＥオフ操作が行われると、ＣＵＥオフ設定イベントルーチン（図１２(b)）が起動される。ここで、先にステップＳＰ２８が実行された際に、第７〜第１２入力チャンネルに係るソース情報がメモリ２６に記憶されていたから、ステップＳＰ４４においては、これら第７〜第１２入力チャンネルがＣＵＥオン状態に設定され、しかる後にステップＳＰ４６が実行されることにより、インサーション・エフェクタがＣＵＥオフ状態に設定される。すなわち、本実施例においては、この場合に「ＣＵＥボタン画像２１０をオフ操作する」というワンタッチの操作によって、「第７〜第１２入力チャンネルの６個のＣＵＥボタン６をＣＵＥオン操作する事と全く等価な結果を実現することができる。
【００７１】
このように、本実施例によれば、各入力チャンネルおよびＣＵＥバスに対してカテゴリを予め指定しておくことにより、各ＣＵＥ信号ソースからＣＵＥバスの各チャンネルへのセンドレベルを予め指定しておくことができる。そして、入力チャンネル、ＭＩＸ出力チャンネル等に係るＣＵＥボタン６を押下し、あるいはエフェクタ設定画面２００におけるＣＵＥボタン画像２１０を押下するという単純な操作によって、ＣＵＥ信号ソースを構成する各信号種別の音声信号を、ＣＵＥバスにおける対応するチャンネルに対して、予め設定したセンドレベルで自動的に供給することができる。これにより、本実施例のデジタルミキサは、高い操作性を実現することができる。
【００７２】
8．変形例
本発明は上述した実施例に限定されるものではなく、例えば以下のように種々の変形が可能である。
(1)上記実施例においては、ＣＵＥバスセンドレベルテーブル４００に記憶されるセンドレベルは、リニアスケールで「１」または「０」に固定されるものと、ユーザが任意に設定できるもの（例えばＸ01，Ｘ02など）とから構成されていたが、テーブルに記憶される全てのセンドレベルについて、ユーザが任意に設定できるようにしてもよい。これにより、例えば、図８においてリニアスケールで「１」と表記されているセンドレベルは、「０」よりも大きい任意の値に設定することができる。
【００７３】
(2)また、上記実施例においては、デジタルミキサのＣＰＵ２４上で動作するプログラム、またはＤＳＰ３６上で動作するプログラムによってＣＵＥバスへのセンドレベルを設定したが、このプログラムのみをＣＤ−ＲＯＭ、メモリカード等の記録媒体に格納して頒布し、あるいは伝送路を通じて頒布することもできる。
【符号の説明】
【００７４】
２：電動フェーダ、４：文字表示器、６：ＣＵＥボタン（ＣＵＥオン／オフ切替手段）、８：ｆボタン、１０：ＳＥＬボタン、１２：オン／オフ・ボタン、１４，１８：ノブ、２０：パネル表示器群、２２：パネル操作子群、２４：ＣＰＵ、２６：メモリ、２８：その他Ｉ／Ｏ部、３０：ＣＰＵバス、３２：電動フェーダ群、３４：音声Ｉ／Ｏ部、３６：ＤＳＰ、３８：ネットワークＩ／Ｏ部、４０：オーディオバス、７０：チャンネルストリップ群、７０−１：チャンネルストリップ、７０−１〜７０−１６：チャンネルストリップ、７２：音質調整部、７４：小型ディスプレイ、７６−Ｌ，７６−Ｒ：チャンネルストリップ、８０：センドレベル調整部、８０ａ：ノブ群、８０ｂ：レイヤ選択部、８２，８４：左右メインディスプレイ、１０２：アナログ入力部、１０４：デジタル入力部、１０６：内蔵エフェクタ部、１０８：入力パッチ部、１１０：ステレオ入力チャンネル調整部、１１２：入力チャンネル調整部、１１２−１〜１１２−１２８：入力チャンネル調整部、１１４：エフェクトリターン部、１１６：ＭＩＸバス（ミキシングバス）、１１８：ステレオバス、１２０：ステレオ出力チャンネル部、１２２：ＭＩＸ出力チャンネル部、１２２−ｍ：第ｍＭＩＸ出力チャンネル部、１２３：マトリクスバス群、１２４：マトリクス出力チャンネル部、１２６：出力パッチ部、１２８：アナログ出力部、１２８，１３０：各出力部、１３０：デジタル出力部、１３１：第１ＣＵＥバス、１３２：第２ＣＵＥバス、１３６：ＣＵＥ信号用アナログ出力部、１５０：ヘッドアンプ、１５１：パラメトリックイコライザ、１５２：ダイナミクス設定部、１５３：チャンネル遅延部、１５４：音量調整部、１５６：オンオフ切換部、１５８：ステレオセンドオンオフ切換部、１６０：ＰＡＮ設定部、１６２−１〜１６２−９６：信号切換部、１６４−１〜１６４−９６：センドレベル調節部、１６６−１〜１６６−９６：センドオンオフ切換部、１６８−Ｌ，Ｒ：ＣＵＥ信号セレクタ、１６９−Ｌ，Ｒ：ＣＵＥスイッチ、１７０：音質調整部、１７２−Ｌ，Ｒ：音量調整部、１７４−Ｌ，Ｒ：オンオフ切換部、１７６−Ｌ，Ｒ：チャンネル遅延部、１８０：音質調整部、１８２：音量調整部、１８４：オンオフ切換部、１８６：チャンネル遅延部、１９２，１９３，１９４：インサーション・エフェクタ、２００：エフェクタ設定画面、２０２：画像表示部、２０３〜２０７：ノブ画像、２１０：ＣＵＥボタン画像（ＣＵＥオン／オフ切替手段）、２５０：設定ウィンドウ、２５０：ＣＵＥバス設定ウィンドウ（ＣＵＥバスカテゴリ選択手段）、２５２，２５４：ＣＵＥバス用カテゴリ選択欄、２５６：ＯＫボタン、２５８：キャンセルボタン、３００：管理テーブル、３００：入力チャンネル管理テーブル、３００：（入力チャンネル管理テーブル）、３０２：チャンネル番号欄、３０４：カテゴリ欄、３０６：名称欄、３０８：グループＩＤ欄、３１０：自動割当モード欄、３５０：設定ウィンドウ、３５０：入力チャンネル設定ウィンドウ、３５２：チャンネル番号欄、３５４：カテゴリ選択欄、３５６：名称設定欄、３６０：ＯＫボタン、３６２：キャンセルボタン、３６４：スクロールボタン、４００：ＣＵＥバスセンドレベルテーブル（ＣＵＥバスセンドレベル記憶手段）。
【図１】
0005418357.tif 000002
【図２】
0005418357.tif 000003
【図３】
0005418357.tif 000004
【図４】
0005418357.tif 000005
【図５】
0005418357.tif 000006
【図６】
0005418357.tif 000007
【図７】
0005418357.tif 000008
【図８】
0005418357.tif 000009
【図９】
0005418357.tif 000010
【図１０】
0005418357.tif 000011
【図１１】
0005418357.tif 000012
【図１２】
0005418357.tif 000013
【図１３】
0005418357.tif 000014